(57)【特許請求の範囲】
【請求項１】
３Ｄ画像を含む一連の画像を表示することが可能な画像表示装置であって、
前記一連の画像から時系列に３Ｄ深度を検出する検出手段と、
前記検出手段によって検出された３Ｄ深度に基づいて、所定の３Ｄ深度の画像位置を処理対象の基準位置を示す処理ポイントとして記憶するポイント記憶手段と、
前記一連の画像の再生中において再生位置が前記ポイント記憶手段に記憶されている処理ポイントに近づいた旨を報知する報知処理を開始する処理実行手段と、
を備えることを特徴とする画像表示装置。
【請求項２】
前記検出手段は、前記一連の画像を順次解析することによって３Ｄ深度を検出する、
ようにしたことを特徴とする請求項１記載の画像表示装置。
【請求項３】
前記検出手段は、前記一連の画像に含まれている３Ｄ画像を構成する左目用の画像と右目用の画像との差分を３Ｄ深度として検出する、
ようにしたことを特徴とする請求項２記載の画像表示装置。
【請求項４】
前記検出手段は、前記一連の画像に付加されている時系列の３Ｄ深度情報を参照することによって時系列に３Ｄ深度を検出する、
ようにしたことを特徴とする請求項１記載の画像表示装置。
【請求項５】
前記検出手段によって検出された３Ｄ深度が所定値以上か否かを判別する判別手段と、
前記判別手段により３Ｄ深度が所定値以上であると判別された場合に、その３Ｄ深度の画像位置を処理対象の基準位置を示す処理ポイントとして記憶するポイント記憶手段と、
をさらに備え、
前記処理実行手段は、前記ポイント記憶手段に記憶されている処理ポイントに基づいて、所定の処理を実行する、
ようにしたことを特徴とする請求項１記載の画像表示装置。
【請求項６】
前記処理実行手段は、再生位置が前記処理ポイントに近づいてからその処理ポイントを通過するまでの間、再生位置が処理ポイントである旨を報知する、
ようにしたことを特徴とする請求項１記載の画像表示装置。
【請求項７】
前記検出手段によって検出された３Ｄ深度に基づいて、所定の３Ｄ深度の画像位置を処理対象の基準位置を示す処理ポイントとして記憶するポイント記憶手段をさらに備え、
前記処理実行手段は、前記一連の画像を再生する場合に、前記ポイント記憶手段に記憶されている処理ポイントに基づいてその再生位置を決定しながら再生処理を実行する、
ようにしたことを特徴とする請求項１記載の画像表示装置。
【請求項８】
前記処理実行手段は、前記一連の画像を再生する場合に、前記ポイント記憶手段に記憶されている処理ポイントに基づいてその再生位置を決定する際に、処理ポイントよりも所定量分前の位置を再生位置として決定する、
ようにしたことを特徴とする請求項７記載の画像表示装置。
【請求項９】
前記検出手段によって検出された３Ｄ深度に基づいて、所定の３Ｄ深度の画像位置を処理対象の基準位置を示す処理ポイントとして記憶するポイント記憶手段をさらに備え、
前記処理実行手段は、前記一連の画像の短編版を作成する場合に、前記ポイント記憶手段に記憶されている処理ポイントに基づいて指定される画像部分を抽出して短編版を作成する短編版作成処理を実行する、
ようにしたことを特徴とする請求項１記載の画像表示装置。
【請求項１０】
前記検出手段によって検出された３Ｄ深度に基づいて、所定の３Ｄ深度の画像位置を処理対象の基準位置を示す処理ポイントとして記憶するポイント記憶手段をさらに備え、
前記処理実行手段は、前記一連の画像に場面の区切りを設定する場合に、前記ポイント記憶手段に記憶されている処理ポイントを場面の区切り位置として設定する区切り設定処理を実行する、
ようにしたことを特徴とする請求項１記載の画像表示装置。
【請求項１１】
３Ｄ画像を含む一連の画像を表示可能な画像表示装置であって、
前記一連の画像をどのような３Ｄ深度で表示させるかの表示モードの切り替えを検出する表示モード切替手段と、
前記一連の画像の再生中において前記表示モード切替手段により表示モードが切り替えられた際に、その切り替え位置を処理対象の基準位置を示す処理ポイントとして検出するポイント検出手段と、
前記ポイント検出手段によって検出された処理ポイントを記憶するポイント記憶手段と、
を備えることを特徴とする画像表示装置。
【請求項１２】
前記ポイント記憶手段に記憶されている表示モード切り替え位置である処理ポイントに基づいて、所定の処理を実行する処理実行手段をさらに備える、
ようにしたことを特徴とする請求項１１記載の画像表示装置。
【請求項１３】
前記処理実行手段は、前記一連の画像の再生中において再生位置が前記ポイント記憶手段に記憶されている処理ポイントに近づいた際に、その旨を報知する報知処理を開始する、
ようにしたことを特徴とする請求項１２記載の画像表示装置。
【請求項１４】
前記処理実行手段は、前記一連の画像を再生する場合に、前記ポイント記憶手段に記憶されている処理ポイントに基づいてその再生位置を決定しながら再生処理を実行する、
ようにしたことを特徴とする請求項１２記載の画像表示装置。
【請求項１５】
前記処理実行手段は、前記一連の画像の短編版を作成する場合に、前記ポイント記憶手段に記憶されている処理ポイントに基づいて指定される画像部分を抽出して短編版を作成する短編版作成処理を実行する、
ようにしたことを特徴とする請求項１２記載の画像表示装置。
【請求項１６】
前記処理実行手段は、前記一連の画像に場面の区切りを設定する場合に、前記ポイント記憶手段に記憶されている処理ポイントを場面の区切り位置として設定する区切り設定処理を実行する、
ようにしたことを特徴とする請求項１２記載の画像表示装置。
【請求項１７】
コンピュータに対して、
３Ｄ画像を含む一連の画像を表示する機能と、
前記一連の画像から時系列に３Ｄ深度を検出する機能と、
前記検出された３Ｄ深度に基づいて、所定の３Ｄ深度の画像位置を処理対象の基準位置を示す処理ポイントとして記憶する機能と、
前記一連の画像の再生中において再生位置が前記記憶されている処理ポイントに近づいた旨を報知する報知処理を開始する機能と、
を実現させるためのプログラム。
【請求項１８】
コンピュータに対して、
３Ｄ画像を含む一連の画像を表示する機能と、
前記一連の画像をどのような３Ｄ深度で表示させるかの表示モードの切り替えを検出する機能と、
前記一連の画像の再生中において前記３Ｄ深度の表示モードが切り替えられた際に、その再生位置を処理対象の基準位置を示す処理ポイントして検出する機能と、
前記切り替えられた３Ｄ深度の表示モードと前記検出された処理ポイントとを対応付けて記憶管理する機能と、
を実現させるためのプログラム。
【発明の詳細な説明】
【技術分野】
【０００１】
本発明は、３Ｄ（３次元）画像を含む一連の画像を表示することが可能な画像表示装置及びプログラムに関する。
【背景技術】
【０００２】
従来、平面状の表示部に画像（静止画、動画）などの画像を３Ｄ表示することにより使用者（視認者）に立体視させるようにした技術としては、各種の技術があり、例えば、２次元（２Ｄ）画像の中のオブジェクトを立体的に見せるような視覚効果を施すようにした技術がある。なお、ポリゴンを利用した技術は、この技術の一例である。また、視認者の右目と左目の視差を利用した技術もある。すなわち、互いに少しずらした右目用の画像と左目用の画像を用意し、それら２つの画像を同時に表示させた際に、右目用の画像は右目で見えて左目では見えないように、左目用の画像は左目で見えて右目では見えないようにするために、光の経路を遮断する電子式の視差バリア（スイッチング液晶パネル）を適切な位置に配置することによって画像を立体に見せるようにした技術である。
【０００３】
上述したいずれの３Ｄ表示技術においても、３Ｄの飛び出し量が大きいほど、視認者には画像がより飛び出して見える迫力ある３Ｄ画像となる。なお、飛び出し量がゼロでは、２Ｄに見える（すなわち２Ｄ表示する）ということになる。
ところで、３Ｄ画像を見ているユーザにあっては、迫力ある３Ｄ画像（３Ｄの飛び出し量が大きい画像）の箇所に差し掛かる前に２Ｄ表示に切り替えてしまったり、３Ｄ画像の再生動作を停止したりして３Ｄ表示をＯＦＦ（オフ）したしまうと、その迫力ある３Ｄ画像を見逃してしまうことになる。このような場合に、どのタイミングで迫力ある３Ｄ画像が表示されるかを知ることができれば、３Ｄ画像の見逃しに効果的なものとなる。そこで、従来では、３次元画像の視差情報に基づいて、この３次元画像を含む動画像データの各位置における視差の大きさ（３Ｄの飛び出し量）を視認可能となるようにバー表示するようにした技術が知られている（特許文献１参照）。
【先行技術文献】
【特許文献】
【０００４】
【特許文献１】特開２００８−１０３８２０号公報
【発明の概要】
【発明が解決しようとする課題】
【０００５】
しかしながら、上述した先行技術にあっては、動画像全体の視差の大きさ（３Ｄの飛び出し量：３Ｄ深度）の概要をバー表示によって把握することはできるが、例えば、３Ｄ画像として迫力ある箇所の画像のみを見たい場合に、その箇所まで再生位置を適切に合わせ込むことは困難であり、その結果、迫力ある部分を途中から見る結果となったり、見逃してしまったりするおそれがあり、また、さらなる娯楽性や色々な楽しみ方についても十分なものとはいえなかった。
【０００６】
本発明の課題は、３Ｄ画像を含む一連の画像を表示する場合に、その３Ｄ深度に応じて３Ｄ画像の効果的な表示を実現できるようにすることである。
【課題を解決するための手段】
【０００７】
上述した課題を解決するために請求項１記載の発明は、
３Ｄ画像を含む一連の画像を表示することが可能な画像表示装置であって、
前記一連の画像から時系列に３Ｄ深度を検出する検出手段と、
前記検出手段によって検出された３Ｄ深度に基づいて、所定の３Ｄ深度の画像位置を処理対象の基準位置を示す処理ポイントとして記憶するポイント記憶手段と、
前記一連の画像の再生中において再生位置が前記ポイント記憶手段に記憶されている処理ポイントに近づいた旨を報知する報知処理を開始する処理実行手段と、
を備えることを特徴とする。
【０００８】
請求項１に従属する発明として、
前記検出手段は、前記一連の画像を順次解析することによって３Ｄ深度を検出する、
ようにしたことを特徴とする、請求項２記載の発明であってもよい。
【０００９】
請求項２に従属する発明として、
前記検出手段は、前記一連の画像に含まれている３Ｄ画像を構成する左目用の画像と右目用の画像との差分を３Ｄ深度として検出する、
ようにしたことを特徴とする、請求項３記載の発明であってもよい。
【００１０】
請求項１に従属する発明として、
前記検出手段は、前記一連の画像に付加されている時系列の３Ｄ深度情報を参照することによって時系列に３Ｄ深度を検出する、
ようにしたことを特徴とする、請求項４記載の発明であってもよい。
【００１１】
請求項１に従属する発明として、
前記検出手段によって検出された３Ｄ深度が所定値以上か否かを判別する判別手段と、
前記判別手段により３Ｄ深度が所定値以上であると判別された場合に、その３Ｄ深度の画像位置を処理対象の基準位置を示す処理ポイントとして記憶するポイント記憶手段と、
をさらに備え、
前記処理実行手段は、前記ポイント記憶手段に記憶されている処理ポイントに基づいて、所定の処理を実行する、
ようにしたことを特徴とする、請求項５記載の発明であってもよい。
【００１３】
請求項１に従属する発明として、
前記処理実行手段は、再生位置が前記処理ポイントに近づいてからその処理ポイントを
通過するまでの間、再生位置が処理ポイントである旨を報知する、
ようにしたことを特徴とする、請求項６記載の発明であってもよい。
【００１４】
請求項１に従属する発明として、
前記検出手段によって検出された３Ｄ深度に基づいて、所定の３Ｄ深度の画像位置を処
理対象の基準位置を示す処理ポイントとして記憶するポイント記憶手段をさらに備え、
前記処理実行手段は、前記一連の画像を再生する場合に、前記ポイント記憶手段に記憶
されている処理ポイントに基づいてその再生位置を決定しながら再生処理を実行する、
ようにしたことを特徴とする、請求項７記載の発明であってもよい。
【００１５】
請求項７に従属する発明として、
前記処理実行手段は、前記一連の画像を再生する場合に、前記ポイント記憶手段に記憶
されている処理ポイントに基づいてその再生位置を決定する際に、処理ポイントよりも所
定量分前の位置を再生位置として決定する、
ようにしたことを特徴とする、請求項８記載の発明であってもよい。
【００１６】
請求項１に従属する発明として、
前記検出手段によって検出された３Ｄ深度に基づいて、所定の３Ｄ深度の画像位置を処
理対象の基準位置を示す処理ポイントとして記憶するポイント記憶手段をさらに備え、
前記処理実行手段は、前記一連の画像の短編版を作成する場合に、前記ポイント記憶手
段に記憶されている処理ポイントに基づいて指定される画像部分を抽出して短編版を作成
する短編版作成処理を実行する、
ようにしたことを特徴とする、請求項９記載の発明であってもよい。
【００１７】
請求項１に従属する発明として、
前記検出手段によって検出された３Ｄ深度に基づいて、所定の３Ｄ深度の画像位置を処
理対象の基準位置を示す処理ポイントとして記憶するポイント記憶手段をさらに備え、
前記処理実行手段は、前記一連の画像に場面の区切りを設定する場合に、前記ポイント
記憶手段に記憶されている処理ポイントを場面の区切り位置として設定する区切り設定処
理を実行する、
ようにしたことを特徴とする、請求項１０記載の発明であってもよい。
【００１８】
また、上述した課題を解決するために請求項１１記載の発明は、
３Ｄ画像を含む一連の画像を表示可能な画像表示装置であって、
前記一連の画像をどのような３Ｄ深度で表示させるかの表示モードの切り替えを検出す
る表示モード切替手段と、
前記一連の画像の再生中において前記表示モード切替手段により表示モードが切り替え
られた際に、その切り替え位置を処理対象の基準位置を示す処理ポイントとして検出する
ポイント検出手段と、
前記ポイント検出手段によって検出された処理ポイントを記憶するポイント記憶手段と
、
を備えることを特徴とする。
【００１９】
請求項１１に従属する発明として、
前記ポイント記憶手段に記憶されている表示モード切り替え位置である処理ポイントに
基づいて、所定の処理を実行する処理実行手段をさらに備える、
ようにしたことを特徴とする、請求項１２記載の発明であってもよい。
【００２０】
請求項１２に従属する発明として、
前記処理実行手段は、前記一連の画像の再生中において再生位置が前記ポイント記憶手
段に記憶されている処理ポイントに近づいた際に、その旨を報知する報知処理を開始する
、
ようにしたことを特徴とする、請求項１３記載の発明であってもよい。
【００２１】
請求項１２に従属する発明として、
前記処理実行手段は、前記一連の画像を再生する場合に、前記ポイント記憶手段に記憶
されている処理ポイントに基づいてその再生位置を決定しながら再生処理を実行する、
ようにしたことを特徴とする、請求項１４記載の発明であってもよい。
【００２２】
請求項１２に従属する発明として、
前記処理実行手段は、前記一連の画像の短編版を作成する場合に、前記ポイント記憶手
段に記憶されている処理ポイントに基づいて指定される画像部分を抽出して短編版を作成
する短編版作成処理を実行する、
ようにしたことを特徴とする、請求項１５記載の発明であってもよい。
【００２３】
請求項１２に従属する発明として、
前記処理実行手段は、前記一連の画像に場面の区切りを設定する場合に、前記ポイント
記憶手段に記憶されている処理ポイントを場面の区切り位置として設定する区切り設定処
理を実行する、
ようにしたことを特徴とする、請求項１６記載の発明であってもよい。
【００２４】
また、上述した課題を解決するために請求項１７記載の発明は、
コンピュータに対して、
３Ｄ画像を含む一連の画像を表示する機能と、
前記一連の画像から時系列に３Ｄ深度を検出する機能と、
前記検出された３Ｄ深度に基づいて、所定の３Ｄ深度の画像位置を処理対象の基準位置を示す処理ポイントとして記憶する機能と、
前記一連の画像の再生中において再生位置が前記記憶されている処理ポイントに近づいた旨を報知する報知処理を開始する機能と、
を実現させるためのプログラム、であることを特徴とする。
【００２５】
また、上述した課題を解決するために請求項１８記載の発明は、
コンピュータに対して、
３Ｄ画像を含む一連の画像を表示する機能と、
前記一連の画像をどのような３Ｄ深度で表示させるかの表示モードの切り替えを検出す
る機能と、
前記一連の画像の再生中において前記３Ｄ深度の表示モードが切り替えられた際に、そ
の再生位置を処理対象の基準位置を示す処理ポイントして検出する機能と、
前記切り替えられた３Ｄ深度の表示モードと前記検出された処理ポイントとを対応付け
て記憶管理する機能と、
を実現させるためのプログラム、であることを特徴とする。
【発明の効果】
【００２６】
本発明によれば、３Ｄ画像を含む一連の画像を表示する場合に、その３Ｄ深度に応じて３Ｄ画像の効果的な表示を実現することができ、娯楽性や色々な楽しみ方に富んだ表示が可能となる。
【図面の簡単な説明】
【００２７】
【図１】画像表示装置として適用した表示部付き携帯電話機１が利用可能な通信ネットワークシステムを示したブロック図。
【図２】携帯電話機１の基本的な構成要素を示したブロック図。
【図３】表示モード記憶部Ｍ３を説明するための図。
【図４】表示情報記憶部Ｍ４を説明するための図。
【図５】電源投入に伴って実行開始される携帯電話機１側の全体動作の概要を示したフローチャート。
【図６】表示情報記憶処理（図５のステップＡ１１）を詳述するためのフローチャート。
【図７】図６の動作に続くフローチャート。
【図８】表示情報再生処理（図５のステップＡ１３）を詳述するためのフローチャート。
【図９】図８の動作に続くフローチャート。
【図１０】迫力ある画像部分であることを明示するアイコン（３Ｄ！！）が再生画面上に表示された状態を示した図。
【図１１】複数のサムネイル画像が一覧表示されている状態を示した図。
【発明を実施するための形態】
【００２８】
図１〜図１１を参照して本発明の実施形態を説明する。
この実施形態は、画像表示装置として表示部を備えた携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、３Ｄ表示機能などが備えられている。この３Ｄ表示機能は、左右の目の視差を利用した視差バリア方式によって、動画、静止画、テキスト、メニューなどの表示情報を３Ｄの奥行きあるいは飛び出しの程度を示す３Ｄ深度で表示させる機能で、３Ｄ深度が異なる複数の表示情報の中からいずれかの表示情報を表示部に３Ｄ表示させるようにしている。
【００２９】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュースなどの情報をインターネット３、無線通信網２を介してダウンロード可能となる。また、携帯電話機１は、テレビ局５から送信アンテナ６を介して発信された地上波デジタル放送を受信するようにしているが、インターネットラジオのように無線通信網２、インターネット３を介して情報配信装置４からデジタル放送をダウンロード受信することもできる。
【００３０】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、表示モード記憶部Ｍ３、表示情報記憶部Ｍ４などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００３１】
プログラム記憶部Ｍ１は、図５〜図９に示した動作手順に応じて本実施形態を実現するためのプログラムや各種のアプリケーションなどが格納されているほか、それに必要とする情報などが記憶されている。各種情報一時記憶部Ｍ２は、フラグ情報、画面情報など、携帯電話機１が動作するために必要な各種の情報を一時的に記憶するワーク領域である。なお、上述の表示モード記憶部Ｍ３、表示情報記憶部Ｍ４については、後で詳述するものとする。
【００３２】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＮ１から発信出力させる。
【００３３】
テレビ放送受信部１６は、通信端末装置向けの地上波デジタルテレビ放送のほか、電子番組表（ＥＰＧ）などの番組情報も含めて受信可能となっている。このテレビ放送受信部１６は、アンテナＡＮ２からの放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。表示部１７は、高精細液晶を使用し、例えば、文字情報、待受画像、テレビ映像などの表示情報を表示させるもので、この表示部１７の表面には、視差バリアを生成するための液晶の層が設けられている。
【００３４】
２Ｄ／３Ｄ変換処理部１８は、２Ｄコンテンツ（例えば、テレビ放送番組など）を３Ｄ深度に応じた右目用のコンテンツと左目用のコンテンツに変換したり、３Ｄコンテンツを別の３Ｄ深度のコンテンツに変換したり、３Ｄコンテンツを２Ｄコンテンツに変換したりするもので、この３Ｄ変換処理部２０によって変換されたコンテンツは、表示部１７に３Ｄ表示されたり２Ｄ表示されたりする。視差バリア制御部１９は、３Ｄ表示時に３Ｄ変換処理部１８によって生成された右目用の表示情報と左目用の表示情報が表示部１７に同時に表示されている状態において、正しく３Ｄ表示が見えるように視差バリアを表示部１７の表層に生成する。
【００３５】
操作部２０は、ダイヤル入力、文字入力、コマンド入力などを入力するもので、中央制御部１１は、この操作部２０からの入力操作信号に応じた処理を実行する。ＲＴＣ（リアルタイムクロックモジュール）２１は、時計部を構成するもので、中央制御部１１は、ＲＴＣ２１から現在日時を取得する。報知部２２は、サウンドスピーカ２３、ＬＥＤ（発光ダイオード）２４、振動モータ２５を備え、着信時に駆動されて着信報知を行うほか、アラーム報知時などでも駆動される。
【００３６】
図３は、表示モード記憶部Ｍ３を説明するための図である。
表示モード記憶部Ｍ３は、表示部１７に表示される表示情報の３Ｄ深度に応じた表示モードに関する情報を記憶するもので、「項目」、「３Ｄ深度」、「設定フラグ」の各項目を有している。「項目」は、複数の表示モードとして、“２Ｄ用表示モード”、“３Ｄ用表示モードＡ”、“３Ｄ用表示モードＢ”、“３Ｄ用表示モードＣ”を示し、“２Ｄ用表示モード”は、３Ｄ深度がゼロの表示情報である２Ｄの表示情報を表示するのに適した表示モードである。また、“３Ｄ用表示モードＡ”、“３Ｄ用表示モードＢ”、“３Ｄ用表示モードＣ”は、３Ｄ深度がゼロ以外である３Ｄの表示情報を表示するのに適した表示モードである。
【００３７】
「３Ｄ深度」は、表示情報の３Ｄの奥行きあるいは飛び出しの程度を示すもので、“２Ｄ用表示モード”は、その「３Ｄ深度」が“レベル０（ゼロ）”となっており、２Ｄ（平面）の表示情報の表示に適していることを示している。また、“３Ｄ用表示モードＡ”は、その「３Ｄ深度」が“レベル１”で、奥行きあるいは飛び出しの程度が小さい表示情報の表示に適していることを示している。また、“３Ｄ用表示モードＢ”は、その「３Ｄ深度」が“レベル２”で、奥行きあるいは飛び出しの程度が中程度の表示情報の表示に適していることを示している。
【００３８】
“３Ｄ用表示モードＣ”は、その「３Ｄ深度」が“レベル３”で、奥行きあるいは飛び出しの程度が大きい表示情報の表示に適していることを示している。「設定フラグ」は、複数の表示モードのうち、現在有効な表示モードを示すフラグで、その値が“１”に対応付けられた表示モードが現在有効な表示モードであることを示している。なお、図示の例は、“２Ｄ用表示モード”に対応する「設定フラグ」のみが“１”、つまり、“２Ｄ用表示モード”が現在有効な表示モードの場合であることを示している。  
【００３９】
図４は、表示情報記憶部Ｍ４を説明するための図である。
表示情報記憶部Ｍ４は、表示部１７に表示するための表示情報を記憶するもので、中央制御部１１は、例えば、情報配信装置４から動画などの情報をインターネット３、無線通信網２を介してダウンロード取得したり、テレビ放送受信部１６によって受信した放送番組を受信取得したり、ＳＤカードなどの記録メディアからコピー取得したりした情報（３Ｄ画像を含む一連の画像）を表示情報として記憶するようにしている。この表示情報記憶部Ｍ４は、表示情報を識別する「情報ＩＤ」に対応して「タイトル」、「種別ＩＤ」、「実データ」、「処理ポイント」、「ダイジェスト版」を記憶する構成となっている。
【００４０】
「実データ」は、３Ｄ画像を含む一連の画像（動画などの表示情報）であり、中央制御部１１は、３Ｄ画像を含む一連の画像（表示情報）を「実データ」として記憶させる際に、この一連の画像に３Ｄの奥行きあるいは飛び出しの程度を示す３Ｄ深度情報が付加されているか否かを判別し、３Ｄ深度情報が付加されている場合には、３Ｄ深度情報を参照して３Ｄ深度を時系列に検出し、また、３Ｄ深度情報が付加されていない場合には、３Ｄ画像を含む一連の画像を順次解析することにより、この一連の画像に含まれている３Ｄ画像を構成する左目用の画像と右目用の画像との差分を３Ｄ深度として時系列に検出するようにしている。
【００４１】
「処理ポイント」は、「実データ」内に記憶されている一連の画像（表示情報）を処理する際に、その処理対象となる基準位置を示すもので、「実データ」内に記憶されている一連の画像（表示情報）のうち、上述のように時系列に検出した３Ｄ深度が所定値以上（例えば、２Ｄレベル以上）の画像部分を特定した際に、その画像部分を示す位置情報である。ここで、中央制御部１１は、検出した３Ｄ深度が所定値以上（例えば、２Ｄレベル以上）であるか否かを判別し、所定値以上であれば、その３Ｄ深度の画像位置を「処理ポイント」として記憶させるようにしている。
【００４２】
すなわち、中央制御部１１は、検出した３Ｄ深度が所定値以上となった時点から所定値未満となるまでの範囲内の画像部分を特定して、その画像部分の始点位置（所定値以上となった画像位置）と終点位置（所定値未満となった画像位置）を対応付けて（１組として）「処理ポイント」に記憶させるようにしている。なお、３Ｄ深度が所定値以上の画像部分が複数箇所存在している場合には、複数組の処理ポイントが「処理ポイント」に順次記憶される。すなわち、「処理ポイント」には、最初の組の始点位置と終点位置、次の組の始点位置と終点位置、…のように、複数組の処理ポイントを記憶することが可能となっている。「ダイジェスト版」は、「処理ポイント」の内容に基づいて生成した「実データ」の短縮版であり、３Ｄ深度が所定値以上となっている各画像部分を「実データ」から抽出して順次繋げた構成となっている。中央制御部１１は、ダイジェスト版の再生が指示された際には、「実データ」の内容に代わって「ダイジェスト版」の内容を読み出してダイジェスト再生を行うようにしている。
【００４３】
また、中央制御部１１は、ジャンプ再生が指示された際には、「実データ」の内容を「処理ポイント」の内容に基づいて再生、つまり、「処理ポイント」に記憶されている処理ポイント位置まで再生位置をジャンプさせながら「実データ」の内容を順次再生するようにしている。また、この実施形態においては「処理ポイント」をチャプタ（場面の区切り）として利用可能となっており、チャプタとして利用する場合には、「処理ポイント」に記憶されている各処理ポイントに対応するフレーム画像に基づいてサムネイル画像を作成して一覧表示させ、その一覧画面の中からユーザ操作により任意のサムネイル画像が選択されると、選択されたサムネイル画像に対応する処理ポイント（チャプタ）から再生を開始するようにしている。
【００４４】
次に、この実施形態における携帯電話機１の動作概念を図５〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００４５】
図５は、電源投入に伴って実行開始される携帯電話機１側の全体動作の概要を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。いま、電話着信を検出すると（ステップＡ３でＹＥＳ）、通話可能状態とする通話処理を実行した後（ステップＡ４）、上述のステップＡ３に戻る。
【００４６】
また、表示情報（３Ｄ画像を含む一連の画像）の出力（例えば、リアルタイム視聴や視認）が指示されたときには（ステップＡ５でＹＥＳ）、情報配信装置４から動画などの情報をインターネット３、無線通信網２を介してダウンロード取得したり、テレビ放送受信部１６によって受信した放送番組を受信取得したり、ＳＤカードなどの記録メディアから動画などの情報をコピー取得して（ステップＡ６）、画像データを表示部１７に表示させたり、音声データをサウンドスピーカ２３から出力させたりする出力動作を開始させる（ステップＡ７）。そして、出力終了が指示されるまで出力動作を継続しながら待機状態となる（ステップＡ８）。ここで、出力終了が指示されたときには（ステップＡ８でＹＥＳ）、上述のステップＡ３に戻る。
【００４７】
また、表示情報（３Ｄ画像を含む一連の画像）の記憶（録画）が指示されたときには（ステップＡ９でＹＥＳ）、情報配信装置４から動画などの情報をインターネット３、無線通信網２を介してダウンロード取得したり、テレビ放送受信部１６によって受信した放送番組を受信取得したり、ＳＤカードなどの記録メディアから動画などの情報をコピー取得する（ステップＡ１０）。そして、後述する表示情報記憶処理を実行した後（ステップＡ１１）、上述のステップＡ３に戻る。
【００４８】
また、表示情報の再生が指示されたときには（ステップＡ１２でＹＥＳ）、後述する表示情報再生処理を実行した後（ステップＡ１３）、上述のステップＡ３に戻る。また、電源オフ操作が行われたときには（ステップＡ１４でＹＥＳ）、電源オフ処理を実行した後（ステップＡ１５）、この図５のフローの終了となるが、その他の操作が行われたときには（ステップＡ１６でＹＥＳ）、その操作に応じた処理として、例えば、通話発信処理、メール発信処理、テレビ放送視聴処理、画像ダウンロード処理などを実行した後（ステップＡ１７）、上述のステップＡ３に戻る。
【００４９】
図６及び図７は、表示情報記憶処理（図５のステップＡ１１）を詳述するためのフローチャートである。
この表示情報記憶処理は、例えば、テレビ放送番組の録画など、表示情報（３Ｄ画像を含む一連の画像）の記憶がユーザ操作によって指示されたり、予約時刻などに応じて指示されたりした場合に実行開始されるもので、先ず、中央制御部１１は、取得情報を表示情報記憶部Ｍ４内に順次記憶させるための記憶動作を開始する（図６のステップＢ１）。この場合、表示情報記憶部Ｍ４内に新たな領域を確保し、この領域内の「実データ」に取得情報を順次記憶させるようにしている。
【００５０】
ここで、例えば、テレビ放送番組の録画と視聴のように、表示情報を記憶しながらその出力が指定されているかを調べる（ステップＢ２）。いま、表示情報を記憶しながらの出力が指定されている場合には（ステップＢ２でＹＥＳ）、画像データを表示部１７に表示させたり、音声データをサウンドスピーカ２３から出力させたりする出力動作を開始させる（ステップＢ３）。この出力動作中において、表示モードの切り替えを指示する表示モード切替操作が行われたかを調べる（ステップＢ４）。
【００５１】
表示モードは、一連の画像をどのような３Ｄ深度で表示させるかを指定する動作モードであり、例えば、３Ｄレベルの表示モードから１Ｄレベルの表示モード切り替えられたり、２Ｄレベルの表示モードからレベル０（ゼロ）の表示モードなどに切り替えられたりしたかを調べる。このような表示モード切替操作が行われなければ（ステップＢ４でＮＯ）、後述するステップＢ８に移るが、表示モード切替操作が行われたときには（ステップＢ４でＹＥＳ）、表示モード記憶部Ｍ３において、切り替え指示された表示モードの「設定フラグ」を“１”とし、それ以外の「設定フラグ」を“０”とすることによって新たな表示モードに変更する表示モード切替変更処理を行う（ステップＢ５）。そして、表示モードの切り替え位置を処理ポイントとして検出して（ステップＢ６）、表示情報記憶部Ｍ４の「処理ポイント」に記憶させる（ステップＢ７）。以下、出力終了が指示されるまで（ステップＢ８でＮＯ）、上述のステップＢ４に戻り、以下、表示モードの切り替えが行われる毎に処理ポイントを記憶する動作を繰り返す。
【００５２】
また、テレビ放送番組の録画と視聴のように、表示情報の記憶中での出力が指定されていない場合には（ステップＢ２でＮＯ）、３Ｄの奥行きあるいは飛び出しの程度を示す３Ｄ深度情報が取得情報に付加されているかを調べ（ステップＢ９）、３Ｄ深度情報が付加されていれば（ステップＢ９でＹＥＳ）、この３Ｄ深度情報を参照しながら３Ｄ深度を時系列に検出する動作を開始する（ステップＢ１０）。そして、検出した３Ｄ深度は所定値以上（例えば、２Ｄレベル以上）であるか否かを判別し（ステップＢ１１）、所定値以上でなければ（ステップＢ１１でＮＯ）、後述するステップＢ１５に移る。
【００５３】
ここで、検出した３Ｄ深度が所定値以上であれば（ステップＢ１１でＹＥＳ）、その３Ｄ深度の画像位置を処理ポイント（始点位置）として、表示情報記憶部Ｍ４の「処理ポイント」に記憶させる処理を行う（ステップＢ１２）。さらに、検出した３Ｄ深度は所定値未満であるか否かを判別し（ステップＢ１３）、３Ｄ深度が所定値未満でなければ（ステップＢ１３でＮＯ）、後述するステップＢ１５に移るが、３Ｄ深度が所定値未満であれば（ステップＢ１３でＹＥＳ）、その３Ｄ深度の画像位置を処理ポイント（終点位置）として、表示情報記憶部Ｍ４の「処理ポイント」に記憶させる処理を行う（ステップＢ１４）。以下、情報記憶の終了がユーザ操作により指示されたり、情報の終了が検出されたりするまで（ステップＢ１５でＮＯ）、上述のステップＢ１０に戻り、処理ポイントを順次検出記憶させる処理を繰り返す。
【００５４】
一方、取得情報（一連の画像）に３Ｄ深度情報が付加されていなければ（ステップＢ９でＮＯ）、この取得情報を順次解析することにより一連の画像に含まれている３Ｄ画像を構成する左目用の画像と右目用の画像との差分を３Ｄ深度として時系列に検出する動作を開始する（図７のステップＢ１６）。そして、上述の場合と同様に、検出した３Ｄ深度が所定値以上であれば（ステップＢ１７でＹＥＳ）、その３Ｄ深度の画像位置を処理ポイント（終点位置）として、表示情報記憶部Ｍ４の「処理ポイント」に記憶させる処理を行う（ステップＢ１８）。
【００５５】
さらに、検出した３Ｄ深度が所定値未満であれば（ステップＢ１９でＹＥＳ）、その３Ｄ深度の画像位置を処理ポイント（終点位置）として、表示情報記憶部Ｍ４の「処理ポイント」に記憶させるが（ステップＢ２０）、この場合、始点位置と終点位置とを対応付けて記憶させるようにしている。以下、情報記憶の終了が検出されたりするまで（ステップＢ２１でＮＯ）、上述のステップＢ１６に戻り、処理ポイントを順次検出記憶させる処理を繰り返す。
【００５６】
そして、予めユーザ操作によりダイジェスト版の作成が指示されているかを調べ（ステップＢ２２）、その作成が指示されていなければ（ステップＢ２２でＮＯ）、この時点で図５のステップＡ３に戻るが、ダイジェスト版の作成が指示されているときには（ステップＢ２２でＹＥＳ）、表示情報記憶部Ｍ４において、今回記憶した「実データ」に対応する「処理ポイント」を参照し、この処理ポイントを含む画像部分を抽出しながらダイジェスト版を作成する処理を行う（ステップＢ２３）。
【００５７】
この場合、１組の処理ポイント（始点位置、終点位置）においてその始点位置に対応する画像位置から終点位置に対応する画像位置までの画像部分を抽出する動作を各組の処理ポイント毎に実行し、抽出した各画像部分を順次繋げることによりダイジェスト版を作成するようにしているが、画像部分を抽出する範囲としては、始点位置から終点位置までの範囲内の画像部分に限らず、始点位置から所定量（例えば、５秒前）まで遡った画像位置からとしてもよく、また、終点位置から所定量（例えば、５秒後）経過した画像位置までとしてもよい。例えば、始点位置から所定量（例えば、５秒前）まで遡った位置と終点位置までの画像部分を抽出したり、始点位置から所定量（例えば、５秒前）まで遡った位置と終点位置から所定量（例えば、５秒後）経過した位置までの画像部分を抽出したりするようにしてもよい。そして、作成したダイジェスト版を作成し、表示情報記憶部Ｍ４内の対応する「ダイジェスト版」に記憶させた後（ステップＢ２４）、図５のステップＡ３に戻る。
【００５８】
図８及び図９は、表示情報再生処理（図５のステップＡ１３）を詳述するためのフローチャートである。
この表示情報再生処理は、表示情報の再生がユーザ操作によって指示されたり、予約時刻などに応じて指示されたりした場合に実行開始されるもので、先ず、中央制御部１１は、再生の種類として、ジャンプ再生、ダイジェスト再生、チャプタ再生、通常再生のいずれが指定されたかを調べる（図８のステップＣ１）。いま、ジャンプ再生、ダイジェスト再生、チャプタ再生以外の通常再生が指示されたときには（ステップＣ１）、再生対象として指定された表示情報として表示情報記憶部Ｍ４から対応する「実データ」から読み出して表示部１７に順次表示させる通常の再生動作を開始する（ステップＣ２）。
【００５９】
この通常の再生動作中においては、再生対象として指定された表示情報に対応する「処理ポイント」を表示情報記憶部Ｍ４から読み出し（ステップＣ３）、再生位置は最初の組の処理ポイント（始点位置）に近づいたか、つまり、再生位置が処理ポイント（始点位置）から所定量前（例えば、５秒前）の画像位置であるかを調べる（ステップＣ４）。ここで、再生位置が処理ポイント（始点位置）に近づいていなければ（ステップＣ４でＮＯ）、後述するステップＣ８に移るが、再生位置が処理ポイント（始点位置）に近づいたときには（ステップＣ４でＹＥＳ）、迫力ある画像部分を明示するアイコン（例えば、３Ｄ！！）を再生画面上に表示させる（ステップＣ５）。
【００６０】
そして、再生位置は処理ポイント（終点位置）に一致するかを調べ（ステップＣ６）、再生位置が処理ポイント（終点位置）に一致しなければ（ステップＣ６でＮＯ）、後述するステップＣ８に移るが、再生位置が処理ポイント（終点位置）に一致したときには（ステップＣ６でＹＥＳ）、再生画面上のアイコン（３Ｄ！！）の表示を消去させる（ステップＣ７）。なお、アイコンの点灯時間は、処理ポイントの始点位置から所定量前（例えば、５秒前）の画像位置と終点位置までの時間としたり、始点位置から所定量前（例えば、５秒前）の画像位置と終点位置から所定量後（例えば、５秒後）の画像位置までの時間としたりするようにしてもよい。
【００６１】
図１０は、迫力ある画像部分であることを明示するアイコン（３Ｄ！！）が再生画面上に表示された状態を示した図である。
なお、この場合、アイコン表示に限らず、メッセージをポップアップ表示させるようにしてもよい。以下、再生終了が指示されるまで（ステップＣ８でＮＯ）、上述の再生動作を継続しながらアイコン表示を行う。その後、再生終了の指示に応じて（ステップＣ５でＹＥＳ）、図５のステップＡ３に戻る。
【００６２】
ジャンプ再生が指示されたときには（ステップＣ１）、再生対象として指定された表示情報に対応する「処理ポイント」のうち、最初の組の処理ポイント（始点位置、終点位置）を表示情報記憶部Ｍ４から読み出して、最初に読み出した組の処理ポイント（始点位置）の画像位置から所定量前（例えば、５秒前）の画像位置を再生位置として決定した後（ステップＣ９）、この再生位置から「実データ」の内容を読み出して、表示部１７に順次表示させるジャンプ再生動作を開始する（ステップＣ１０）。
【００６３】
そして、再生位置は、処理ポイント（終点位置）に一致するかを調べ（ステップＣ１１）、再生位置が処理ポイント（終点位置）に一致しなければ（ステップＣ１１でＮＯ）、後述するステップＣ１３に移るが、再生位置が処理ポイント（終点位置）に一致したときには（ステップＣ１１でＹＥＳ）、「処理ポイント」に複数組の処理ポイントが記憶されているかを調べ（ステップＣ１２）、複数組の処理ポイントが記憶されていれば（ステップＣ１２でＹＥＳ）、上述のステップＣ９に戻り、次の組の処理ポイントを読み出し、上述のジャンプ再生動作を行う。以下、複数の処理ポイント分の再生動作の終了を検出したり（ステップＣ１２でＮＯ）、ユーザ操作による再生終了が指示されたりすると（ステップＣ１３でＹＥＳ）、図５のステップＡ３に戻る。
【００６４】
ダイジェスト再生が指示されたときには（ステップＣ１）、再生対象として指定された表示情報として表示情報記憶部Ｍ４の「ダイジェスト版」を読み出して、表示部１７に順次表示させるダイジェスト再生動作を開始する（図９のステップＣ１４）。その後、ダイジェスト再生動作の終了を検出したり、ユーザ操作による再生終了が指示されたりするまで（ステップＣ１５でＮＯ）、このダイジェスト再生動作を継続する。その後、再生終了に応じて（ステップＣ１５でＹＥＳ）、図５のステップＡ３に戻る。
【００６５】
チャプタ再生が指示されたときには（ステップＣ１）、再生対象として指定された表示情報に対応する「処理ポイント」のうち、最初の組の処理ポイント（始点位置、終点位置）を表示情報記憶部Ｍ４から読み出して、この処理ポイント（始点位置）をチャプタ再生位置として決定すると共に（ステップＣ１６）、そのチャプタ再生位置に対応する「実データ」の内容（１フレーム）を読み出した後（ステップＣ１７）、この１フレーム画像に基づいてサムネイル画像を生成して表示部１７に表示させる（ステップＣ１８）。ここで、「処理ポイント」に複数組の処理ポイントが記憶されている場合には（ステップＣ１９でＹＥＳ）、上述のステップＣ１６に戻り、以下、複数組の処理ポイント分のサムネイル画像が表示されるまでサムネイル表示を繰り返す。
【００６６】
図１１は、複数組の処理ポイント分のサムネイル画像が一覧表示されている状態を示した図である。
図示の例は、６場面分のサムネイル画像（Ａ、Ｂ、Ｃ、Ｄ、Ｆ）が一覧表示されている状態を示している。この一覧画面の中から任意のサムネイル画像を選択するユーザ操作が行われると（ステップＣ２０）、選択されたサムネイル画像に対応する処理ポイントの始点位置から終点位置までの画像部分の「実データ」を表示情報記憶部Ｍ４から読み出して、そのチャプタ部分の再生動作を開始させる（ステップＣ２１）。以下、ユーザ操作による再生終了が指示されたりするまで（ステップＣ２２でＮＯ）、サムネイル画像が選択される毎に、チャプタ再生動作を行う。その後、再生終了に応じて（ステップＣ２２でＹＥＳ）、図５のステップＡ３に戻る。
【００６７】
以上のように、本実施形態において中央制御部１１は、３Ｄ画像を含む一連の画像を表示する場合に、時系列に検出した３Ｄ深度に基づいて、所定の処理を実行するようにしたので、３Ｄ深度に応じて３Ｄ画像の効果的な表示を実現することができ、その結果、娯楽性や色々な楽しみ方に富んだ表示が可能となる。
【００６８】
中央制御部１１は、３Ｄ画像を含む一連の画像を順次解析するようにしたので、３Ｄ深度を適切に検出することができる。
【００６９】
一連の画像に含まれている３Ｄ画像を構成する左目用の画像と右目用の画像との差分を３Ｄ深度として時系列に検出するようにしたので、視認者の右目と左目の視差を利用した技術に適用することが可能となる。
【００７０】
一連の画像に付加されている時系列に３Ｄ深度情報を参照することによって時系列の３Ｄ深度を検出するようにしたので、３Ｄ深度を容易かつ迅速に検出することが可能となる。
【００７１】
中央制御部１１は、検出した３Ｄ深度が所定値以上である場合に、その３Ｄ深度の画像位置を表示情報記憶部Ｍ４内の「処理ポイント」として記憶しておき、この処理ポイントに基づいて、所定の処理を実行するようにしたので、３Ｄ深度に応じた処理を適切に実行することができる。
【００７２】
中央制御部１１は、一連の画像の再生中において再生位置が表示情報記憶部Ｍ４内の「処理ポイント」に近づいた旨を報知するようにしたので、例えば、迫力のある画像部分の再生間近であることをユーザに知らせることができる。
【００７３】
再生位置が表示情報記憶部Ｍ４内の「処理ポイント」である旨の報知は、再生位置が処理ポイントに近づいてからその処理ポイントを通過するまで行うようにしたので、例えば、３Ｄの飛び出し量が少ない箇所から大きい箇所への移行することの予告が可能となる。
【００７４】
中央制御部１１は、表示情報記憶部Ｍ４内の「処理ポイント」に基づいて再生位置を決定しながら再生処理を実行するようにしたので、３Ｄ深度に応じたジャンプ再生が可能となる。
【００７５】
中央制御部１１は、表示情報記憶部Ｍ４内の「処理ポイント」に基づいて再生位置を決定する際に、処理ポイントよりも所定量分前の位置を再生位置として決定するようにしたので、迫力のある画像部分が急に出現するのではなく、例えば、ユーザにあっては３Ｄの飛び出し量が少ない箇所から大きい箇所への移行を確認することができ、より迫力のあるものとなる。
【００７６】
中央制御部１１は、表示情報記憶部Ｍ４内の「処理ポイント」に基づいて指定される画像部分を抽出してダイジェスト版を作成するようにしたので、３Ｄ深度に応じたダイジェスト版の作成が可能となる。
【００７７】
中央制御部１１は、表示情報記憶部Ｍ４内の「処理ポイント」を場面の区切り位置として設定するようにしたので、３Ｄ深度に応じたチャプタ再生が可能となる。
【００７８】
３Ｄ画像を含む一連の画像をどのような３Ｄ深度で表示させるかの表示モードが切り替えられた際に、その切り替え位置を処理ポイントとして時系列に検出して記憶するようにしたので、表示モード切り替え位置を処理対象の基準位置として記憶することができる。
【００７９】
表示モード切り替え位置である処理ポイントに基づいて、所定の処理を実行するようにしたので、例えば、３Ｄレベルの表示モードから１Ｄレベルの表示モードや２Ｄレベルの表示モードからレベル０（ゼロ）の表示モードなどに切り替えられたときには、その切り替え位置に応じた処理を行うことがでる。
【００８０】
再生位置が表示モード切り替え位置である処理ポイントに近づいた際に、その旨を報知するようにしたので、例えば、表示モードを切り替えた位置の間近であることをユーザに知らせることができる。
【００８１】
表示モード切り替え位置である処理ポイントに基づいて、再生位置を決定しながら再生処理を実行するようにしたので、表示モードを切り替えに応じたジャンプ再生が可能となる。
【００８２】
表示モード切り替え位置である処理ポイントに基づいて指定される画像部分を抽出してダイジェスト版を作成するようにしたので、表示モードを切り替えに応じたダイジェスト版の作成が可能となる。
【００８３】
表示モード切り替え位置である処理ポイントを場面の区切り位置として設定するようにしたので、３Ｄ深度に応じたチャプタ再生が可能となる。
【００８４】
なお、上述した実施形態においては、時系列に検出した３Ｄ深度が所定値以上（例えば、２Ｄレベル以上）の画像部分を特定した際に、その画像位置を処理ポイントとして検出するようにしたが、３Ｄ深度が所定値以下（例えば、１Ｄレベル以下）の画像部分を特定してその画像位置を処理ポイントとして検出するようにしてもよい。
【００８５】
また、上述した実施形態においては、一連の画像の再生中において再生位置が処理ポイントに近づいた旨を報知する場合に、アイコンを点灯表示させるようにしたが、ポップアップ表示、プルダウン表示、音声メッセージ出力などの報知であってもよい。
【００８６】
画像表示装置としては携帯電話機に限らず、表示装置付きのパーソナルコンピュータ・ＰＤＡ・デジタルカメラ・音楽プレイヤーなど、任意の画像表示装置であってもよい。さらに、折り畳みタイプの端末装置に限らず、ストレートタイプ、スライドタイプ、スピントップタイプなど任意の筐体構造であってもよい。また、赤外線通信機能（リモコン機能）を備えた携帯電話機において、ブルーレイレコーダ、ＤＶＤレコーダに対して、操作キーに応じた操作信号を送信してレコーダを遠隔操作するようにしてもよい。
【００８７】
その他、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８８】
１  携帯電話機
３  無線通信網
４  インターネット
１１  中央制御部
１３  記憶部
１４  無線通信部
１６  テレビ放送受信部
１７  表示部
１８  ２Ｄ／３Ｄ変換処理部
１９  視差バリア制御部
２０  操作部
Ｍ１  プログラム記憶部
Ｍ２  各種情報一時記憶部
Ｍ３  表示モード記憶部
Ｍ４  表示情報記憶部
【図１】
0005489223.tif 000002
【図２】
0005489223.tif 000003
【図３】
0005489223.tif 000004
【図４】
0005489223.tif 000005
【図５】
0005489223.tif 000006
【図６】
0005489223.tif 000007
【図７】
0005489223.tif 000008
【図８】
0005489223.tif 000009
【図９】
0005489223.tif 000010
【図１０】
0005489223.tif 000011
【図１１】
0005489223.tif 000012